(57)【要約】【課題】本発明は一般市販のフレームをそのまま用い、これに透光性ジグソーパズルをステンドグラスのような美しさにガタなく飾ることができる透光性ジグソーパズルセット、およびそのような美しさの装飾体が簡易に得られる透光性ジグソーパズル装飾体の製造方法をそれぞれ提供する。【解決手段】本発明に係る透光性ジグソーパズルセットは、一組の透光性のあるジグソーパズル２と、該ジグソーパズルを飾る際に用いるフレーム５のバックボードと実質的に同じ厚みのあるスペーサー８と、からなることを特徴とし、例えば、組みあげたジグソーパズルを市販のフレームからセルカバーを取り除いて収納し、該セルカバー６をジグソーパズルの裏側を押えるために転用し、該セルカバー６と支持片７との間にスペーサー８を入れてステンドグラスのような美しさに飾れるようにしたこと、および、そのような美しさのある装飾体が簡易に得られるように構成した。【選択図】図１
2006158784.tif 000002
【特許請求の範囲】
【請求項１】
一組の透光性のあるジグソーパズルと、該ジグソーパズルを飾る際に用いるフレームのバックボードと実質的に同じ厚みのあるスペーサーと、からなることを特徴とする透光性ジグソーパズルセット。
【請求項２】
前記スペーサーの少なくとも一面に糊面を有することを特徴とする請求項１に記載の透光性ジグソーパズルセット。
【請求項３】
前記スペーサーが透光性を有することを特徴とする請求項１又は２に記載の透光性ジグソーパズルセット。
【請求項４】
組みあがった透光性のジグソーパズルをフレームに入れる工程と、該ジグソーパズルにセルカバーを乗せる工程と、スペーサーを入れる工程と、を含むことを特徴とする透光性ジグソーパズル装飾体の製造方法。
【請求項５】
前記スペーサーを前記セルカバーと支持片との間に入れることを特徴とする請求項４に記載の透光性ジグソーパズル装飾体の製造方法。
【請求項６】
前記スペーサーの少なくとも一面に糊面を有することを特徴とする請求項４又は５に記載の透光性ジグソーパズル装飾体の製造方法。
【請求項７】
前記スペーサーが透光性を有することを特徴とする請求項４〜６のうちの１に記載の透光性ジグソーパズル装飾体の製造方法。
【発明の詳細な説明】
【技術分野】
【０００１】
本発明は、透光性ジグソーパズルセットおよび組みあがった透光性ジグソーパズルをフレームに飾ることによりステンドグラスのような美しさの装飾体が得られる透光性ジグソーパズル装飾体の製造方法に関するものである。
【背景技術】
【０００２】
従来、この種の透光性ジグソーパズルセットの代表的なものに、（イ）実開平５−１５９９３号公報記載のＥＬパネル付きジグソーパズル、（ロ）特開平７−３１３７２９号公報記載のジグソーパズル、（ハ）特開２００１−２５２４６１号公報記載のジグソーパズルがある。上記（イ）のものはジグソーパズルのフレーム内に有機ＥＬパネルを設け、該ＥＬパネルの輝度、色で、その上に並べた透光性部材からなるこまに描かれた図柄や文字等を浮かび上がらせるようにしたものである。また、上記（ロ）のものは透光性基板（フレームに対応）に透明接着剤層を介して透光性ジグソーパズルを組みあげて貼り、バックから光を照射できるようにしたものである。さらに、上記（ハ）のものは透光性ジグソーパズルをパズル台（フレームに対応）の白色板上に置き、パズル台に装置した発光手段によりバックから光を照射して図柄や文字等を浮かび上がらせるようにしたものである。
【０００３】
また、従来の一般市販のジグソーパズル用フレームを図４に示す。これはフレーム４１と、セルカバー４２と、バックボード４３とからなり、フレーム４１には支持片４４が設けられている。組みあがったジグソーパズルを必要に応じ糊付けし、フレーム裏側からセルカバー４２、ジグソーパズル４５、バックボード４３の順に乗せ、支持片４４でバックボード４３を支持して完成させる。
【特許文献１】実開平５−１５９９３号公報
【特許文献２】特開平７−３１３７２９号公報
【特許文献３】特開２００１−２５２４６１号公報
【発明の開示】
【発明が解決しようとする課題】
【０００４】
しかしながら、上記（イ）〜（ハ）に記載の透光性ジグソーパズルを飾るフレームは、有機ＥＬパネル、蛍光灯などのバック光源を備えた特殊のものであって、一般市販のフレームをそのまま利用できるものではなかった。したがって、フレーム自身が高価であったばかりでなく、図柄や文字等を浮かび上がらせるためには、専用のバック光源が必要であり、その光源への通電のために必要なリード線がフレームを壁面に飾ったときに邪魔になっていた。
【０００５】
また、一般的なジグソーパズル用フレームのバックボード４３には透光性がないため、透光性ジグソーパズルにそのまま流用する場合にはバックボード４３で光が遮られ、独特なステンドグラスのような美しさが損なわれるといった問題があった。
【０００６】
本発明は、上記種々の問題を一挙に解消するためのもので、その目的とするところは、一般市販のフレームをそのまま用い、これに透光性ジグソーパズルをステンドグラスのような美しさにガタなく飾ることができる透光性ジグソーパズルセット、およびそのような美しさの装飾体が簡易に得られる透光性ジグソーパズル装飾体の製造方法をそれぞれ提供することにある。
【課題を解決するための手段】
【０００７】
上記の目的を達成するため、本発明に係る透光性ジグソーパズルセットは、一組の透光性のあるジグソーパズルと、該ジグソーパズルを飾る際に用いるフレームのバックボードと実質的に同じ厚みのあるスペーサーと、からなることを特徴とし、例えば、組みあげたジグソーパズルを市販のフレームからセルカバーを取り除いて収納し、該セルカバーをジグソーパズルの裏側を押えるために転用し、該セルカバーと支持片との間にスペーサーを入れて飾れるように構成した。
【０００８】
また、請求項２に記載の発明に係る透光性ジグソーパズルセットは、前記スペーサーの少なくとも一面に糊面を有することを特徴とし、市販のフレームから取り除いたセルカバーに直に付着できるように構成した。
【０００９】
さらに、請求項３に記載の発明に係る透光性ジグソーパズルセットは、前記スペーサーが透光性を有することを特徴とし、スペーサー自身が透光性ジグソーパズルの透光性を少しでも損なわせないように構成した。
【００１０】
さらにまた、請求項４に記載の発明に係る透光性ジグソーパズル装飾体の製造方法は、組みあがった透光性のジグソーパズルをフレームに入れる工程と、該ジグソーパズルにセルカバーを乗せる工程と、スペーサーを入れる工程と、を含むことを特徴とし、ステンドグラスのような美しさのある装飾体が簡易に得られるように構成した。
【００１１】
さらにまた、請求項５に記載の発明に係る透光性ジグソーパズル装飾体の製造方法は、前記スペーサーを前記セルカバーと支持片との間に入れることを特徴とし、スペーサーを入れる工程を、より簡易化できるように構成した。
【００１２】
さらにまた、請求項６に記載の発明に係る透光性ジグソーパズル装飾体の製造方法は、前記スペーサーの少なくとも一面に糊面を有することを特徴とし、スペーサーを入れる工程のあとにスペーサーが動きにくくなるように構成した。
【００１３】
さらにまた、請求項７に記載の発明に係る透光性ジグソーパズル装飾体の製造方法は、前記スペーサーが透光性を有することを特徴とし、スペーサーを入れる工程のときに、入れる位置が定め易くなるように構成した。
【発明の効果】
【００１４】
請求項１に記載の透光性ジグソーパズルセットによれば、一組の透光性のあるジグソーパズルと、該ジグソーパズルを飾る際に用いるフレームのバックボードと実質的に同じ厚みのあるスペーサーと、からなるため、組みあげたジグソーパズルを市販のフレームに、セルカバーを取り除いて収納し、該セルカバーをジグソーパズルの裏側の押えのために転用し、該セルカバーと支持片との間にスペーサーを入れることによって市販のフレームにガタなくしっかりと収納できるようになる。また、このようにフレームに収納したジグソーパズルを部屋の壁面に飾ると、壁面に反射した部屋内の照明や外光が間接的にフレームの裏側から透光性ジグソーパズルに照射されるし、上記フレームに収納したジグソーパズルを部屋の窓に飾ると、該窓から侵入した外光が直にフレームの裏側から透光性ジグソーパズルに照射されるため、透光性ジグソーパズルの画像はステンドグラスのような美しさをもって輝光するなど、各種の優れた効果を奏するものである。
【００１５】
また、請求項２に記載の透光性ジグソーパズルセットによれば、前記スペーサーの少なくとも一面には糊面を有するため、市販のフレームから取り除いたセルカバーにスペーサーを直に付着させることができ、セルカバーによるジグソーパズルの裏側の押え力が増強できるという優れた効果を奏するものである。
【００１６】
さらに、請求項３に記載の透光性ジグソーパズルセットによれば、前記スペーサーが透光性を有するため、スペーサー自身が透光性ジグソーパズルの透光性を損なわせないために有効に機能するという優れた効果を奏するものである。
【００１７】
さらにまた、請求項４に記載の透光性ジグソーパズル装飾体の製造方法によれば、組みあがった透光性のジグソーパズルをフレームに入れる工程と、該ジグソーパズルにセルカバーを乗せる工程と、スペーサーを入れる工程と、を含むため、ステンドグラスのような美しさのある装飾体が簡易にしかも、市販のフレームにガタなくしっかりと収納できるという優れた効果を奏するものである。
【００１８】
さらにまた、請求項５に記載の透光性ジグソーパズル装飾体の製造方法によれば、前記スペーサーを前記セルカバーと支持片との間に局部的に入れるため、スペーサーを入れる工程がより簡易化し、ステンドグラスのような美しさの得られる装飾体が迅速に製造できるという優れた効果を奏するものである。
【００１９】
さらにまた、請求項６に記載の透光性ジグソーパズル装飾体の製造方法によれば、前記スペーサーの少なくとも一面が糊面を有するため、スペーサーを入れたあとにスペーサーが動きにくくなり、スペーサーを入れる工程のミスを未然に防止できるという優れた効果を奏するものである。
【００２０】
さらにまた、請求項７に記載の透光性ジグソーパズル装飾体の製造方法によれば、前記スペーサーが透光性を有するため、スペーサーを入れるときに、入れる位置・目標が定め易くなるという優れた効果を奏するものである。
【発明を実施するための最良の形態】
【００２１】
次に、本発明の最良の形態を図面に基づいて説明する。図１は本願セットを含むフレームの分解斜視図、図２はフレームの裏面から見た斜視図、図３は本願セットの使用状態を示すの断面図である。
【００２２】
１は本願セット、２は透光性ジグソーパズルである。透光性ジグソーパズル２にはスペーサー８がセットとして備えられている。該スペーサー８は前記透光性ジグソーパズルの組みあげた組み上げ品３を、フレーム５の裏面側に設けた収納溝４内に、セルカバー６を取り除いて収納し、該セルカバー６を前記組み上げ品３を裏から押えるために転用し、該セルカバー６と、前記フレーム５に設けられている支持片７との隙間に入れるために使用されるものである。
【００２３】
前記透光性ジグソーパズル２は、透光性（透明又は半透明）を有するプラスチック基板の表面に透明乃至透光性のインクを用いて絵画や写真や文字等の図柄（図示せず）を印刷等により描き、小さなピース（断片）に分割してばらばらな状態にて販売され、購入者をして前記図柄を元どおりに組みあげて遊ぶ玩具である。この組みあげた後のジグソーパズルの組み上げ品３は、再び分解して繰り返し遊ぶこともあるが、多くの場合にはフレーム５に収納して部屋の壁面や窓などにインテリアとして飾られる。
【００２４】
前記透光性ジグソーパズル２を構成するプラスチック基板としては、ＰＶＣ（ポリ塩化ビニル）、ＰＰ（ポリプロピレン）、ＰＥ（ポリエチレン）などのオレフィン系を主体とするもので、０．５〜３ｍｍ厚（好ましくは１．５〜２ｍｍ）に制作されている。この素材や厚さのプラスチック基板により構成したジグソーパズルは、ピース同士の結合力が強くなる点で好ましい。勿論、ピース同士の必要な結合力が得られるならば、上記素材や厚さには特に限定する必要はない。
【００２５】
前記フレーム５としては、ジグソーパズル用として市販されているものを使用して満足できる。このフレーム５としては、木質材でもアルミ材でもプラスチック材でもよいが、透光性ジグソーパズル２を収納する関係で、透明なプラスチック材で作られているものが感覚的に好ましい。また、フレーム５は、市販されているものの中から前記ジグソーパズル２の組み上げ品３が収納できる大きさ（面積）のものが選ばれる。尤も、収納溝の深さは、通常、バックボードとして用いられる厚紙やボール紙の厚さにより調整できるため、種々の深さのものが用意さていないため選択の余地が殆どないのが普通である。
【００２６】
前記セルカバー６は、フレーム５に予め嵌められているものを転用する。すなわち、透光性ジグソーパズル２は、ピースの結合力により強く組まれることからその組み上げ品３は、前面にセルカバーがなくても崩れることがないためである。勿論、前面のセルカバーはそのままにして透光性ジグソーパズル２の組み上げ品３を裏面から押えるセルカバーは別個に用意することもある。
【００２７】
前記フレーム５の収納溝４の溝の深さＤは、透光性ジグソーパズル２の厚さＤ1 と、セルカバー６の厚さＤ2 と、前記スペーサー８の厚さＤ3 の総和（Ｄ1
＋Ｄ2 ＋Ｄ3 ）とほぼ同じになっている。この場合、前記フレーム５の前面のセルカバーを嵌めたまま、透光性ジグソーパズル２を収納するときは、前記スペーサー８の厚さＤ3 は、予め嵌められているセルカバーの肉厚分だけ薄くなることは勿論である。
【００２８】
前記スペーサー８は、図２の如く、前記ジグソーパズル２の組み上げ品３に裏から押えたセルカバー６と、前記支持片７との間に介装されるものであるが、該スペーサー８の少なくとも一面には、図１の如く、糊面９を設け、該糊面９を介してセルカバー６に付着できるようにするとよい。すなわち、スペーサー８をセルカバー６に固定的に付着させるときは、フレーム５に収納したジグソーパズル２をより安定的に保持できるからである。なお、前記糊面９は、図１の如く、セルカバー６に付着させる前には、粘着性が規制されるように剥離紙１０を仮着しておくこととなる。
【００２９】
前記スペーサー８は、厚紙、ボール紙、プラスチックのソリッド板、プラスチックの発泡体等からなる板材を利用して作られている。尤も、非透光性の材料を利用するときはジグソーパズル２の完成品３の透光性を損なわせないためにできるだけ細幅帯状に作ることが必要である。このスペーサー８として透光性材料を利用するときは上述の如く細幅帯状である必要は特にない。一方、透光性材料であると、スペーサー８をセルカバー６と支持片７との間に入れる作業のときに、その入れる位置ないし目標が明確となるために好ましいものである。
【００３０】
前記本願セット１は、透光性ジグソーパズル２とスペーサー８とからなるが、市販のフレーム５を含めて「ワンセット」として販売してもよい。この場合には、予め、セルカバー６の周囲にスペーサー８を一体的に付着させておいたり、セルカバー６の周囲にスペーサー８に対応するリブ状の凸条を設けておくことも可能であるが、その都度、剥離紙１０を剥がして糊面９を露出させてセルカバー６に貼り付けるようにすることが遊戯者の遊び心をより刺激することとなって好ましい。
【００３１】
次に、本願セット１の組立方について説明する。まず、透光性ジグソーパズル２を印刷された図柄を元どおりに組みあげて遊ぶことから始まる。本ジグソーパズルに限らず一般的にジグソーパズルの組みあげのコツは、図柄の明瞭な部分と、エッジ部分でピースを分けてそこから組んで行くことが良いと言われている。前記透光性ジグソーパズル２は素材がプラスチック基板であり、ピース同士の結合力が強いので組みあげ易いばかりでなく、いったん的確に結合させれば離反し難く、途中で崩れるおそれが少ないものである。
【００３２】
かくして、組みあげられたジグソーパズル２は、フレーム５に収納する。この場合、元々収納されているセルカバーを取り除いて収納する。すなわち、本ジグソーパズル２は前述の如くプラスチック基板を主体としているためにピース同士の結合力が強いので、フレーム５の前面に嵌められているセルカバーがなくても組みあげ形態が保たれる。
【００３３】
前記透光性ジグソーパズル２の組み上げ品３の裏には、図２の如く、セルカバー６を当て、該セルカバー６の周囲にスペーサー８を配置（支持片の個所に局部的に配置する場合も含む）し、該スペーサー８を介して支持片７にて固定するようにする。これによりフレーム５に収納した透光性ジグソーパズル２は、その透光性を阻害されることなく、しかもガタなくしっかりと固定される。
【００３４】
前記セルカバー６の周囲にスペーサー８を配置する場合、該スペーサー８の少なくとも一面に糊面９が設けられているときは、該糊面９を介して透光板６に一体的に付着させることとができる。換言すれば、該スペーサー８の付着により爾後スペーサーが動きにくくなるため、セルカバー６は、フレーム５に収納した透光性ジグソーパズル２を、より安定的に固定させ得ることとなる。
【産業上の利用可能性】
【００３５】
本願セット１は、透光性ジグソーパズルをその透光性が有効に発揮できる状態にて市販のフレームに収納してガタなく飾ることのできるもので、その収納後のフレームは部屋の壁面や窓などにインテリアとして飾ると、部屋の照明や外光が壁面に反射した光により、また、窓から入った外光により裏から照射され、効果的に飾ることができるようになる。したがって、本願セットはジグソーパズルを組みあげる遊戯性と、その組みあげ品のインテリア効果とが二重に得られる優れものである。
【図面の簡単な説明】
【００３６】
【図１】本願セットを含むフレームの分解斜視図である。
【図２】フレームの裏面から見た斜視図である。
【図３】本願セットの使用状態を示すの断面図である。
【図４】従来の一般市販のジグソーパズル用フレームの分解斜視図である。
【符号の説明】
【００３７】
１ 
本願セット
２  透光可能なジグソーパズル
３  ジグソーパズルの完成品
４  収納溝
５  額縁
６  透光板
７  支持片
８  スペーサー
９  糊面
１０  剥離紙
Ｄ  収納溝の深さ
Ｄ1   ジグソーパズルの完成品の厚さ
Ｄ2   透光板の厚さ
Ｄ3   スペーサーの厚さ
【図１】
2006158784.tif 000003
【図２】
2006158784.tif 000004
【図３】
2006158784.tif 000005
【図４】
2006158784.tif 000006